(57)【要約】 【課題】  液晶板、集積回路板、半導体板等の板状電子部品に対する焼成を行うための焼成炉であって、熱効率の向上化及び扉部分の熱変形の問題を解消した焼成炉の提供を図る。【解決手段】  炉体10の内部に所要段数の棚板11ａを具えた棚枠11を設け、炉体10の開放面10ａを覆うための扉体12を、上端側遮蔽版12ａと下端側遮蔽版12ｂと、当該両遮蔽版12ａ,12ｂの間に介在させた所要段数の遮熱扉版12ｃとで構成する共に、当該各版は縦方向に非連結状態で載置された形態で昇降自在に支持し、また、各遮熱扉版12ｃにはワーク出し入れのための窓孔12ｄを開設すると共に、当該窓孔12ｄには開閉自在な開閉蓋12ｅを装設し、前記扉体12は、各棚板11ａと夫々対応する位置で停止するような間歇的昇降作動が行われるように構成する。【選択図】  図２
2009281601.tif 000002
【特許請求の範囲】
【請求項１】
正面を開放面(10ａ)とする炉体(10)の内部に、ワークを正面側から差し込んで収容するための所要段数の棚板(11ａ)を具えた棚枠(11)を設け、上記開放面(10ａ)を覆うための扉体(12)を、上端側遮蔽版(12ａ)と下端側遮蔽版(12ｂ)と、当該両遮蔽版(12ａ,12ｂ)の間に介在させた所要段数の遮熱扉版(12ｃ)とで構成する共に、当該各版は縦方向に非連結状態で載置された形態で昇降自在に支持し、また、各遮熱扉版(12ｃ)にはワーク出し入れのための窓孔(12ｄ)を開設すると共に、当該窓孔(12ｄ)には開閉自在な開閉蓋(12ｅ)を装設し、また、前記した非連結状態で載置されている扉体(12)は、各棚板(11ａ)と夫々対応位置で停止するような間歇的昇降作動が行われるように構成したことを特徴とする焼成炉。
【請求項２】
正面を開放面(10ａ)とする炉体(10)の内部に、ワークを正面側から差し込んで収容するための所要段数の棚板(11ａ)を具えた棚枠(11)を設け、上記開放面(10ａ)を覆うための扉体(12)を、上端側遮蔽版(12ａ)と下端側遮蔽版(12ｂ)と、当該両遮蔽版(12ａ,12ｂ)の間に介在させた所要段数の遮熱扉版(12ｃ)とで構成する共に、当該各版は縦方向に非連結状態で載置された形態で昇降自在に支持し、また、各遮熱扉版(12ｃ)にはワーク出し入れのための窓孔(12ｄ)を開設すると共に、当該窓孔(12ｄ)には開閉自在な開閉蓋(12ｅ)を装設し、更に、棚板(11ａ)の全枚数を遮蔽扉版(12ｃ)の段数の倍数となるように設定すると共に、各段の遮蔽扉版に対して、それぞれ等しい枚数からなる棚板群を割り当てるように構成し、また、前記した非連結状態で載置されている扉体(12)は、各棚板(11ａ)と夫々対応位置で停止するような間歇的昇降作動が行われるように構成したことを特徴とする焼成炉。
【請求項３】
扉体(12)の支持手段として、炉体における開放面(10ａ)の両側部に立設した案内杆(13、14)に対して、扉体12を構成する上端側遮蔽版(12ａ)と下端側遮蔽版(12ｂ)と、当該両遮蔽版(12ａ,12ｂ)の間に介在させた所要段数の遮熱扉版(12ｃ)とを、その各両側部に左右対称的に取付けた支持片(13ａ，14ａ)を摺動自在に連結することによって、昇降自在に支持するように構成した請求項1または請求項２に記載の焼成炉。
【請求項４】
扉体(12)の昇降手段として、下端側遮蔽版(12ｂ)の支持片(14ａ)に取付けたリング状螺子(15)に対し、当該リング状螺子(15)に螺合させた垂直螺子軸(16)の下端を、正逆回転可能とするような電気的制御が施された駆動用モータ(17)の回転軸に連結することに依って、当該駆動用モータ(17)の正回転に基づき、その垂直螺子軸(16)に対してリング状螺子(15)を介して連係されている下端側遮蔽版(12ｂ)が当該垂直螺子軸(16)の螺子溝に沿って上昇させられ、それに伴い当該下端側遮蔽版(12ｂ)の上縁に載置されている各遮熱扉版(12ｃ)及び上端側遮蔽版(12ａ)が押し上げられ、また、当該駆動用モータ(17)の逆回転に基づき、上記の逆作用で扉体(12)が降下させられると共に、当該駆動モータ(17)の回転は、所定量ごとの間歇的回動が行われるような電気的制御が成されるように構成した請求項１乃至請求項３の何れかに記載の焼成炉。
【請求項５】
扉体(12)を構成する上端側遮蔽版(12ａ)と下端側遮蔽版(12ｂ)と、当該両遮蔽版(12ａ,12ｂ)の間に介在させた所要段数の遮熱扉版(12ｃ)の各載置面には、その下位側部材の上縁に取付けたパッキング材（Ａ）を介在させるように構成した請求項１乃至請求項４の何れかに記載の焼成炉。
【発明の詳細な説明】
【技術分野】
【０００１】
本発明は液晶板、集積回路板、半導体板等の板状電子部品に対する焼成を行うための焼成炉に関する。
【背景技術】
【０００２】
従来の焼成炉は、その正面開放面に対して、当該開放面を一括して覆うような、例えば観音開き扉のような大きな開閉扉を設け、液晶板、集積回路板、半導体板等の板状電子部品（以下、ワークと言う）の炉内出し入れは、当該扉の全体的開閉に基づき行うものであった。
【０００３】
然し乍、このような扉全体を開閉する方式であると、開閉の度に焼成炉の正面全体が開かれるため、その都度、炉温度が降下することとなり、従って、エネルギー的に大きな損失を招くばかりでなく、炉内温度の頻繁なる変化は焼成上においても悪影響を及ぼすこととなる。
【０００４】
このような問題を解決した焼成炉として、開閉扉の所要部分にワークの出し入れを行うためのスリットを設けた一枚の扉を昇降させることによって、上記のような従来の問題を解決した焼成炉がある（例えば、特許文献１参照。）。
これは、本発明と同一人の発明者かつ権利者に依る特許であって、下記のような構成を具えたものである。
【０００５】
これは図３に示すように、正面を開放面とする炉体２を基台１の中央部に搭載し、当該炉体２の内部には、ワークを正面側から差し込んで収容するための多数の段数を具えた棚枠を設け、更に、当該炉体２の開放面には、１個のワークの出し入れを可能とする程度の大きさを具えた矩形状スリット５を開設したシャッター扉４を昇降自在に取付けると共に、当該シャッター扉４は、そのスリット５を棚枠の最下位から最上位の各段に対応させるための昇降（鎖線で示す状態）、並びに対応した棚枠の段部に対するワークの収容及び取り出しのための停止が行われるような間歇的昇降運動が成されるように構成したものである。
【０００６】
上記のような一枚の開閉扉ではなく、これを横方向に複数枚に分割した開閉扉を用い、所要の開閉扉を昇降させることにより、相隣る開閉扉間に隙間を生じさせて被処理物の出し入れを行うように構成した焼成炉がある（例えば、特許文献２参照。）。
【０００７】
これは、図４に示すような構成を具えたものであり、炉壁の開口幅が、被処理物の幅より広く、炉壁の開口の上縁が、支持台の最も上の被処理物載置位置より上方に、炉へ気の開口の下縁が、支持台の最も下の被処理物載置位置より下方にそれぞれ位置するようになされ、炉壁の開口8ａを閉鎖する閉鎖部材７が炉外に設けられ、閉鎖部材７が、それぞれ上下動することにより、開口の一部8ａが開放されて被処理物の搬入出されるようにしたものである。
【０００８】
【特許文献１】特許第２７６２３５２号公報
【特許文献２】特許第３６４８５８９号公報
【発明の開示】
【発明が解決しようとする課題】
【０００９】
上記した特許文献１に記載されている焼成炉の場合、シャッター扉４が例えば金属板等の厚手の一枚板で形成されており、かつ当該シャッター扉４は炉内の熱影響を常に受けているため、加熱に基づく熱変形が必然生じることとなる。  そして、このような熱変形はシャッター扉全体に及ぶこととなり、扉の反り及び歪みを生じると共に、熱膨張に基づき、扉全体の膨張化を招き、その歪みは扉の外周部分に強く現れてしまうため、極端な場合は密閉性の阻害と昇降作動の円滑性の齟齬と言うような問題が生じることを余儀なくされた。  更に、シャッター扉に設けられたているスリットは常に開放状態となっているために、この部分からの熱の放散に基づく炉内温度の不安定化を招くと言うような問題も生じることとなった。
【００１０】
本発明は、特許文献１に記載されている焼成炉に於いて生じた、上記のような熱変形の問題の解決化を図ると共に、スリットからの熱の逃げからもたらされる炉内温度の不安定化と言う問題を解決したものである。
【課題を解決するための手段】
【００１１】
本発明は請求項1に記載のように、正面を開放面10ａとする炉体10の内部に、ワークを正面側から差し込んで収容するための所要段数の棚板11ａを具えた棚枠11を設け、上記開放面10ａを覆うための扉体12を、上端側遮蔽版12ａと下端側遮蔽版12ｂと、当該両遮蔽版12ａ,12ｂの間に介在させた所要段数の遮熱扉版12ｃとで構成する共に、当該各版は縦方向に非連結状態で載置された形態で昇降自在に支持し、また、各遮熱扉版12ｃにはワーク出し入れのための窓孔12ｄを開設すると共に、当該窓孔12ｄには開閉自在な開閉蓋12ｅを装設し、また、前記した非連結状態で載置されている扉体12は、各棚板11ａと夫々対応位置で停止するような間歇的昇降作動が行われるように構成したことを特徴とする焼成炉に係る。
【００１２】
そして請求項2に記載のように、正面を開放面10ａとする炉体10の内部に、ワークを正面側から差し込んで収容するための所要段数の棚板11ａを具えた棚枠11を設け、上記開放面10ａを覆うための扉体12を、上端側遮蔽版12ａと下端側遮蔽版12ｂと、当該両遮蔽版12ａ,12ｂの間に介在させた所要段数の遮熱扉版12ｃとで構成する共に、当該各版は縦方向に非連結状態で載置された形態で昇降自在に支持し、また、各遮熱扉版12ｃにはワーク出し入れのための窓孔12ｄを開設すると共に、当該窓孔12ｄには開閉自在な開閉蓋12ｅを装設し、更に、棚板11ａの全枚数を遮蔽扉版12ｃの段数の倍数となるように設定すると共に、各段の遮蔽扉版に対して、それぞれ等しい枚数からなる棚板群を割り当てるように構成し、また、前記した非連結状態で載置されている扉体12は、各棚板11ａと夫々対応位置で停止するような間歇的昇降作動が行われるように構成したことを特徴とする焼成炉に係る。
【００１３】
また、請求項３に記載のように、扉体12の支持手段として、炉体における開放面10ａの両側部に立設した案内杆13、14に対して、扉体12を構成する上端側遮蔽版12ａと下端側遮蔽版12ｂと、当該両遮蔽版12ａ,12ｂの間に介在させた所要段数の遮熱扉版12ｃとを、その各両側部に左右対称的に取付けた支持片13ａ，14ａを摺動自在に連結することによって、昇降自在に支持するように構成した請求項1または請求項２に記載の焼成炉を実施の態様とする。
【００１４】
更に、請求項４に記載のように、扉体12の昇降手段として、下端側遮蔽版12ｂの支持片14ａに取付けたリング状螺子15に対し、当該リング状螺子15に螺合させた垂直螺子軸16の下端を、正逆回転可能とするような電気的制御が施された駆動用モータ17の回転軸に連結することに依って、当該駆動用モータ17の正回転に基づき、その垂直螺子軸16に対してリング状螺子15を介して連係されている下端側遮蔽版12ｂが当該垂直螺子軸16の螺子溝に沿って上昇させられ、それに伴い当該下端側遮蔽版12ｂの上縁に載置されている各遮熱扉版12ｃ及び上端側遮蔽版12ａが押し上げられ、また、当該駆動用モータ17の逆回転に基づき、上記の逆作用で扉体12が降下させられると共に、当該駆動モータ17の回転は、所定量ごとの間歇的回動が行われるような電気的制御が成されるように構成した請求項１乃至請求項３の何れかに記載の焼成炉を実施の態様とする。
【００１５】
更に、請求項５に記載のように、扉体12を構成する上端側遮蔽版12ａと下端側遮蔽版12ｂと、当該両遮蔽版12ａ,12ｂの間に介在させた所要段数の遮熱扉版12ｃの各載置面には、その下位側部材の上縁に取付けたパッキング材Ａを介在させるように構成した請求項１乃至請求項４の何れかに記載の焼成炉を実施の態様とする。
【発明の効果】
【００１６】
本発明に係る焼成炉は、請求項１に記載のような構成、すなわち、正面を開放面10ａとする炉体10の内部に、ワークを正面側から差し込んで収容するための所要段数の棚板11ａを具えた棚枠11を設け、上記開放面10ａを覆うための扉体12を、上端側遮蔽版12ａと下端側遮蔽版12ｂと、当該両遮蔽版12ａ,12ｂの間に介在させた所要段数の遮熱扉版12ｃとで構成する共に、当該各版は縦方向に非連結状態で載置された形態で昇降自在に支持し、また、各遮熱扉版12ｃにはワーク出し入れのための窓孔12ｄを開設すると共に、当該窓孔12ｄには開閉自在な開閉蓋12ｅを装設し、また、前記した非連結状態で載置されている扉体12は、各棚板11ａと夫々対応位置で停止するような間歇的昇降作動が行われるように構成したから、炉内に対するワークの出し入れは、所要の開閉蓋12ｅの開蓋に基づき行われることと成るため、すなわち、扉全体を開く必要がないため、炉内の熱流出を最小限とすることができる。  従って、ワークの出し入れに伴う炉内温度の変化を最小限とすることができ、そのため、熱効率の向上化、並びに焼成作業の安定化が図られる。
【００１７】
更に、炉体10の開放面10ａを覆うための扉体12を、上端側遮蔽版12ａと下端側遮蔽版12ｂと、当該両遮蔽版12ａ,12ｂの間に介在させた所要段数の遮熱扉版12ｃとに分割化するように構成したから、熱変形に基づく扉体12の変形は、上記各版に分散化されることとなり、これにより、例えば扉体を一枚の金属版で形成した場合に生じる、熱変形に基づく扉体の昇降作動に齟齬をきたしたり、密閉性の阻害と言うような問題が解消される。  同時に、熱変形の分散化に基づき熱の逃げ低下させ、前記したような炉内温度の変化を最小限とすることに貢献することとなる。
【００１８】
一方、既述した特許文献２として提示した図４に示す従来の炉であるが、これの正面扉を分割形式としてあるのは、各分割扉の所要の接触部分を開くことにより、ワークの出し入れを行うようにしたものであり、すなわち、開扉作動を期待するに止まり、前述したように本発明が奏する「熱変形に基づく扉体の昇降作動に齟齬をきたしたり、密閉性の阻害と言うような問題が解消されることとなる。  同時に、熱変形の分散化に基づき熱の逃げ低下させ、前記したような炉内温度の変化を最小限とする」ためのものではない。
【００１９】
また、本発明は請求項２に記載のような構成、すなわち正面を開放面10ａとする炉体10の内部に、ワークを正面側から差し込んで収容するための所要段数の棚板11ａを具えた棚枠11を設け、上記開放面10ａを覆うための扉体12を、上端側遮蔽版12ａと下端側遮蔽版12ｂと、当該両遮蔽版12ａ,12ｂの間に介在させた所要段数の遮熱扉版12ｃとで構成する共に、当該各版は縦方向に非連結状態で載置された形態で昇降自在に支持し、また、各遮熱扉版12ｃにはワーク出し入れのための窓孔12ｄを開設すると共に、当該窓孔12ｄには開閉自在な開閉蓋12ｅを装設し、更に、棚板11ａの全枚数を遮蔽扉版12ｃの段数の倍数となるように設定すると共に、各段の遮蔽扉版に対して、それぞれ等しい枚数からなる棚板群を割り当てるように構成し、また、前記した非連結状態で載置されている扉体12は、各棚板11ａと夫々対応位置で停止するような間歇的昇降作動が行われるように構成したから、請求項１の構成に於いて記載したような作用効果を奏すると同時に、「棚板11ａの全枚数を遮蔽扉版12ｃの段数の倍数となるように設定すると共に、各段の遮蔽扉版に対して、それぞれ等しい枚数からなる棚板群を割り当てるように構成」したことにより、遮蔽扉版12ｃと棚板11ａとの対応の連続性を図ることができ、その開閉作動を極めて合理的かつ円滑に行うことが可能化される。
【００２０】
また、本発明に係る焼成炉は、請求項３に記載のような構成、すなわち、扉体12の支持手段として、炉体における開放面10ａの両側部に立設した案内杆13、14に対して、扉体12を構成する上端側遮蔽版12ａと下端側遮蔽版12ｂと、当該両遮蔽版12ａ,12ｂの間に介在させた所要段数の遮熱扉版12ｃとを、その各両側部に左右対称的に取付けた支持片13ａ，14ａを摺動自在に連結することによって、昇降自在に支持するように構成することにより、扉体12の安定かつ確実なる昇降作動が得られることとなる。
【００２１】
更に、本発明に係る焼成炉は、請求項４に記載のような構成、すなわち、扉体12の昇降手段として、下端側遮蔽版12ｂの支持片14ａに取付けたリング状螺子に対し、当該リング状螺子15に螺合させた垂直螺子軸16の下端を、正逆回転可能とするような電気的制御が施された駆動用モータ17の回転軸に連結することに依って、当該駆動用モータ17の正回転に基づき、その垂直螺子軸16に対してリング状螺子を介して連係されている下端側遮蔽版12ｂが当該垂直螺子軸16の螺子溝に沿って上昇させられ、それに伴い当該下端側遮蔽版12ｂの上縁に載置されている各遮熱扉版12ｃ及び上端側遮蔽版12ａが押し上げられ、また、当該駆動用モータ17の逆回転に基づき、上記の逆作用で扉体12が降下させられると共に、当該駆動モータ17の回転は、所定量ごとの間歇的回動が行われるような電気的制御が成されるように構成することにより、扉体12の昇降は極めて合理的になされることとなる。  すなわち、最下位に位置する下端側遮蔽版12ｂの動きにより、これの上縁に載置されている各遮熱扉版12ｃ及び上端側遮蔽版12ａの押上および降下を行うように構成してあるから、これらを個々に昇降制御を行うように構成した場合に生じる作動の同一性阻害というような問題は全く生じることなく、極めて円滑なる作動性が得られることとなる。
【００２２】
また、本発明は請求項５に記載のような構成、すなわち、、扉体12を構成する上端側遮蔽版12ａと下端側遮蔽版12ｂと、当該両遮蔽版12ａ,12ｂの間に介在させた所要段数の遮熱扉版12ｃの各載置面には、その下位側部材の上縁に取付けたパッキング材Ａを介在させるように構成することにより、当該各載置縁部分からの炉内熱気の漏れが防止されることとなる。
【発明を実施するための最良の形態】
【００２３】
図は本発明の１実施例を表したものであって、10は正面を開放面10ａとする炉体であって、その一側部から供給される熱風が、他側部に流れるような熱気の循環されるような熱流通がなされるように構成してある。  なお、このような熱流通形式を採ることはこの種の焼成炉に於いては常套手段に属するものであり、本発明の要部とするものではないので、図面に於いては省略してある。
【００２４】
11は炉体10の内部に設けた棚枠であって、ワークを正面側から差し込んで収容するための所要段数の棚板11ａを具えており、当該棚枠11の両側面は開放状態（非閉鎖状態）に保っておくことにより、上述したような炉体内の熱流通が妨げられずに、当該各棚板11ａ上を流れるように構成してある。
【００２５】
12は上記した炉体10の正面開放面10ａを覆うための扉体であって、これは上端側遮蔽版12ａと下端側遮蔽版12ｂと、当該両遮蔽版12ａ,12ｂの間に介在させた所要段数（図示の実施例にあっては四段としてある。）の遮熱扉版12ｃとから成るものである。  そして、これらの各版は縦方向に非連結状態で載置された状態に保たれている。  なお、当該各載置面におけるその下位側部材の上縁には、必要に応じて適宜耐熱資材製のパッキング材Ａを設けることにより、炉内の熱気が逃げないように構成しておくことが好ましい。
【００２６】
上記した遮熱扉版12ｃであるが、これには夫々ワークの出し入れを行うための横長矩形状を呈する窓孔12ｄが開設してある。  そして、当該各窓孔12ｄには開閉自在な開閉蓋12ｅが装設されており、ワークの出し入れに際して、当該開閉蓋12ｅの開閉が自動的に成されるように構成してある。  なお、当該開閉蓋12ｅの開閉方式は、図２に鎖線で示すような下縁を枢支点とする回転式開閉方式を基本とするが、左右方向に移動させるようなスライド式開閉方式を採るように構成してもよい。  何れにせよ、当該該開閉蓋12ｅの開閉操作は、電気的自動制御に基づき決められた形態で自動操作されるように構成するものであるが、その手段は特に限定されるものではなく、既存する適宜の連動機構を用いて行われるものである。
【００２７】
13、14は上記した扉体12を昇降自在に支持するための案内杆であって、炉体における開放面10ａの両側部に立設すると共に、上記した上端側遮蔽版12ａと下端側遮蔽版12ｂ並びに当該両遮蔽版12ａ,12ｂの間に介在させた所要段数の遮熱扉版12ｃの各両側部に、それぞれ支持片13ａ，14ａを左右対称的に取付けると共に、当該支持片13ａ，14ａを上記案内杆13，14に対して摺動自在（昇降自在）に連結する事により、当該上端側遮蔽版12ａと下端側遮蔽版12ｂと所要段数の遮熱扉版12ｃを、それぞれ昇降自在に支持するように構成してある。
【００２８】
15は上記した下端側遮蔽版12ｂの支持片14ａに介在させたリング状螺子、16は当該リング状螺子15に螺合させた垂直螺子軸であって、その下端は駆動用モータ17の回転軸に連結してある。  そして、当該モータ17は正逆回転可能とするような電気的制御がなされるように構成してある。
【００２９】
上記のように構成されている扉体12は、駆動用モータ17の正回転に基づき、その垂直螺子軸16に対してリング状螺子を介して連係されている下端側遮蔽版12ｂが当該垂直螺子軸16の螺子溝に沿って上昇させられ、それに伴い当該下端側遮蔽版12ｂの上縁に載置されている各遮熱扉版12ｃ及び上端側遮蔽版12ａが押し上げられることとなる。  そして、駆動用モータ17の逆回転に基づき、上記の逆作用で扉体12の降下させられることとなる。  なお、当該駆動モータ17の回転は、所定量ごとの間歇的回動が行われるような電気的制御が成されるように構成することにより、下記するような開閉制御作動を行わせるように構成してある。
【００３０】
すなわち、図２に示すように、炉体10の内部に設けた棚枠11における各棚板11ａは、それぞれ所定の遮熱扉版12ｃに対応されている。
【００３１】
図示の実施例について具体的に説明すれば、四段に積重ね載置されている各遮蔽扉版12ｃを下段のものからＲ，Ｘ，Ｙ，Ｚとして示せば、全ての棚板11ａを当該遮蔽扉版の段数に均等に割り当て、換言すれば、各段の遮蔽扉版Ｗ，Ｘ，Ｙ，Ｚに対して六枚づつの棚板群ｗ，ｘ，ｙ，ｚを割り当てるように構成してある。  従って、棚板11ａの全枚数は遮蔽扉版12ｃの段数の倍数となるように設定してある。
【００３２】
そして、図２に示す状態に於いて炉内に対するワークの出し入れは、最下段の遮蔽扉版Ｒの開閉蓋12ｅを開くことによって、その窓孔12ｄを介して最下段の棚板を対象として行われる。  なお、当該ワークの出し入れは、自動アームまたは自動送り機構を用いて機械的に行うものであり、このようなワークの出し入れのための手段は適宜既存のものが用いられる。
【００３３】
上記のようにして最下段の棚板に対するワークの出し入れを行った後、遮蔽扉版Ｒをやや上昇させると共に、その窓孔12ｄを次段の棚板に対応する位置で停止させ、この状態で、当該棚板に対するワークの出し入れを行う。  このようにして遮蔽扉版Ｒを間歇的に所定の高さ分だけ上昇させることにより、当該遮蔽扉版Ｗと対応する棚板群ｗに対するワークの出し入れが行われる。
【００３４】
上記作動を繰り返すことに依り、棚板群ｗに対するワークの出し入れが完了した後は、二段目の遮蔽扉版Ｘを作動させることにより、上記と同様にして棚板群ｘに対するワークの出し入れを行う。  この際は前記した遮蔽扉版Ｗの開閉蓋12ｅは閉じた状態に戻すと共に、二段目の遮蔽扉版Ｘの開閉蓋12ｅを開くことによりその窓孔12ｄを介してワークの出し入れが行われる。
【００３５】
そして、上述したような作動を繰り返すことにより、最上位の遮蔽扉版Ｚに対応する棚板群ｚ、すなわち、全ての棚板に対するワークの出し入れ作業が行われることとなる。  このような各遮蔽扉版に対する間歇的昇降作動は、既述したような駆動モータ17の正逆回転に基づく下端側遮蔽版12ｂの間歇的昇降運動と連動して行われる。
【００３６】
なお、本発明に係る焼成炉の通常の利用形態は、最下位の棚板から最上位に向かって順次ワークを収容し、当該最下位の棚板から最上位に向かって順次ワークを取り出すと言うような作業形態を採ることを通例とするが、これに限定されるものではない。
【００３７】
ところで、下端側遮蔽版12ｂと上端側遮蔽版12ａの存在理由であるが、これは各遮蔽扉版が最上昇した際、並びに最下降した時に、炉体の正面開放面10ａの下方部分及び上方部分に開放部分が生じさせないための閉鎖版としての役割を担うものである。
【００３８】
ところで、図示の実施例にあっては、最下位の遮熱扉版の窓孔からのワークの出し入れが終った後、次段の遮熱扉版の窓孔からのワークの出し入れに際しては、当該窓孔が所定の棚板部分に位置させるために（高さ合わせのために）やや降下させた後に間歇的上昇運動を行わせる必要があるが、このような位置調節は駆動用モータに対して予め設定されている電気的回転制御に基づき自動的に行われるように構成するものとする。
【００３９】
然し乍、遮蔽扉版Ｗ，Ｘ，Ｙ，Ｚに対応させる棚板群ｗ，ｘ，ｙ，ｚの位置を、例えば遮蔽扉版Ｗによる棚板群ｗに対するワークの出し入れが終わった際に、すなわち、このための一連の間歇的上昇なされた際に、次段の遮蔽扉版Ｘの窓孔がこれに対応する棚板群ｘの最下位に位置すると言うように、各棚板群ｗ，ｘ，ｙ，ｚを連続ではなく各棚板群単位に夫々所定の間隔を保った状態に形成しておくことにより、遮蔽扉版Ｗ，Ｘ，Ｙ，Ｚの動きを、既述したような位置調節のための下降と言う運動を必要とせず、間歇的連続上昇運動または間歇的連続下降運動とすることができる。  本発明はこのような形態での実施も可能とする。
【図面の簡単な説明】
【００４０】
【図１】本発明に係る焼成炉の正面図である。
【図２】本発明に係る焼成炉を表した説明用断面図である。
【図３】本発明の改良対象とする従来の焼成炉を表した正面図である。
【図４】他の従来の焼成炉を表した正面図である。
【符号の説明】
【００４１】
10    炉体
10ａ  開放面
11    棚枠
11a   棚板
12    扉体
12a   上端側遮蔽版
12b   下端側遮蔽版
12ｃ   遮熱扉版
12ｄ   窓孔
12ｅ   開閉蓋
13     案内杆
14     案内杆
13ａ   支持片
14ａ   支持片
15     リング状螺子
16     垂直螺子軸
17     駆動用モータ
Ａ     パッキング材  
【図１】
2009281601.tif 000003
【図２】
2009281601.tif 000004
【図３】
2009281601.tif 000005
【図４】
2009281601.tif 000006